(57)【要約】【課題】プリンタの廃トナー貯蔵庫を提供する。【解決手段】プリンタから回収される廃トナーが保存されるハウジングと，ハウジングの上部から廃トナーが流入される通路を形成する流入口と，流入口を摺動しつつ開閉するシャッタと，シャッタを直線的に摺動させて流入口を開閉するシャッタ開閉リブと，シャッタ及びハウジングの上部間を連結し，シャッタを閉められた状態に保持するように付勢された弾性部材とを備えるプリンタの廃トナー貯蔵庫である。【選択図】図２
2005208661.tif 000002
【特許請求の範囲】
【請求項１】
プリンタから回収される廃トナーが保存されるハウジングと，
前記ハウジングの上部から廃トナーが流入される通路を形成する流入口と，
前記流入口を摺動しつつ開閉するシャッタと，
前記シャッタを直線的に摺動させて前記流入口を開閉するシャッタ開閉リブと，
前記シャッタ及び前記ハウジングの上部間を連結し，前記シャッタを閉められた状態に保持するように付勢された弾性部材と，
を備えることを特徴とする，プリンタの廃トナー貯蔵庫。
【請求項２】
前記シャッタ開閉リブは，前記プリンタの一側カバーの内面から内側方向に突出されるように形成されたことを特徴とする，請求項１に記載のプリンタの廃トナー貯蔵庫。
【請求項３】
前記シャッタ開閉リブは，前記シャッタの摺動方向に垂直方向に形成されたことを特徴とする，請求項２に記載のプリンタの廃トナー貯蔵庫。
【請求項４】
前記シャッタ開閉リブの一側には傾斜面が形成されており，
前記シャッタの上部には前記開閉機構の傾斜面と対応するようにガイド面が形成されたことを特徴とする，請求項１〜３のいずれかに記載のプリンタの廃トナー貯蔵庫。
【発明の詳細な説明】
【技術分野】
【０００１】
本発明は，プリンタの廃トナー貯蔵庫に係り，さらに詳細には，シャッタ開閉装置を備えた廃トナー貯蔵庫に関する。
【背景技術】
【０００２】
コンピュータ用レーザプリンタや複写機などに適用されるプリンタは，粉末状のトナーを使用する乾式現像方式と，液体キャリアにトナーが混合された現像液を使用する湿式現像方式とがある。この２つの方式は，いずれも静電潜像が形成された感光媒体に帯電状態のトナーや現像液を転写させた後，その感光媒体と接触されて回転する転写媒体間に用紙を通過させることによって，所望の画像を記録用紙に印刷する電子写真方式を利用する。
【０００３】
粉末状のトナーを使用する乾式現像方法のプリンタは，感光ドラムに静電気的な潜像を形成する光学部，前記感光ドラムにトナーを付着させる現像部，感光ドラムから記録紙にトナーを移動させる転写部，記録紙に移動したトナーを記録紙に永久的に固着させる定着部などを含む。
【０００４】
このようなプリンタで，感光ドラムの寿命は決まっているために，一定時間の使用後には新品に交換せねばならないところ，決まった期間感光ドラムを十分に使用するためには，その維持管理を徹底的にして感光ドラムに異物，例えば残留トナーなどが残っていないようにすることが望ましい。
【０００５】
従って，従来のプリンタは，クリーニングブレード（ｃｌｅａｎｉｎｇ  ｂｌａｄｅ）のような残留トナー除去手段を備え，感光ドラム上に残っているトナーを回収している。このように回収されたトナー（以下，廃トナーという。）は，廃トナーを移送する輸送部（ａｕｇｅｒ）により廃トナー貯蔵庫に移送される。
【０００６】
図１は，従来の廃トナー貯蔵庫のシャッタ装置を示す分解斜視図である。
【０００７】
図１を参照すれば，従来のプリンタに装着される廃トナー貯蔵庫１０は，プリンタから回収される廃トナーが保存される空間を備えたハウジング１１を備える。ハウジング１１の上部には，廃トナー輸送部３０の廃トナー出口と連結される流入口１２が形成されており，流入口１２を介して廃トナーがハウジング１１の内部に流入される。
【０００８】
流入口１２の上部には，直線的に摺動しつつ流入口１２を開閉するシャッタ２０が設置されている。このシャッタ２０は，廃トナー貯蔵庫１０をプリンタに装着する前と，プリンタから脱着された状態で前記流入口１２を閉じた状態に保持され，プリンタ内に装着して廃トナー貯蔵庫１０で使用時に開いた状態に保持される。
【０００９】
廃トナー輸送部３０は，プリンタ本体に固定されるように付着され，その一側面には傾斜面３１が形成されている。前記シャッタ２０の上部には，第１ボス２１が形成されている。このボス２１は，廃トナー貯蔵庫１０をプリンタに装着する時，前記傾斜面３１に沿って移動して流入口１２をオープンする。前記シャッタ２０の下部には，第２ボス２２が形成されている。廃トナー貯蔵庫１０の上部には，第３ボス１５が形成されている。そして，第２ボス２２及び第３ボス１５には，トーションスプリング（ｔｏｒｓｉｏｎ  ｓｐｒｉｎｇ）２７が連結されている。このトーションスプリング２７は，前記シャッタ２０が閉められた状態に保持されるように付勢されている。
【００１０】
前記シャッタ２０の対向する両側には，突出部２４が形成されており，前記流入口１２の対向する両側には，前記突出部２４が直線的に摺動されるようにガイドするスロット１７が形成されている。
【００１１】
前記廃トナー貯蔵庫１０をプリンタ本体の廃トナー輸送部３０の下部に装着する時，第１ボス２１は，ガイド面３１に沿って中に入っていく。この時，シャッタ２０は図面で左側に摺動され，流入口１２がオープンされる。
【００１２】
前記廃トナー貯蔵庫１０を廃トナー輸送部３０から脱着する時，シャッタ１０下部のトーションスプリング２７の復原力で，シャッタ１０は，元来の状態に復元されつつ流入口１２を閉じる。
【００１３】
しかし，従来の廃トナー貯蔵庫１０のシャッタ２０は，脱着過程で流入口１２が開いている状態であり，従って流入口１２の周辺に置かれたトナーの飛び散りによりプリンタ内部の汚染が発生する問題がある。
【００１４】
【特許文献１】特開２００３−１０７８９２号公報
【特許文献２】特開昭６４−０５９２８２号公報
【特許文献３】特開平１−１５９６８１号公報
【特許文献４】韓国実用新案１９９５−０００８０８号公報
【特許文献５】韓国実用新案１９９４−０１０７６８号公報
【発明の開示】
【発明が解決しようとする課題】
【００１５】
本発明が解決しようとする技術的課題は，前述の従来技術の問題点を改善するために創出されたものであり，廃トナー貯蔵庫のシャッタをプリンタカバーの開閉と連動開閉できるシャッタ装置を備えたプリンタの廃トナー貯蔵庫を提供するところにある。
【課題を解決するための手段】
【００１６】
前記課題を解決するために，本発明のプリンタの廃トナー貯蔵庫は，プリンタから回収される廃トナーが保存されるハウジングと，前記ハウジングの上部から廃トナーが流入される通路を形成する流入口と，前記流入口を摺動しつつ開閉するシャッタと，前記シャッタを直線的に摺動させて前記流入口を開閉するシャッタ開閉リブと，前記シャッタ及び前記ハウジングの上部間を連結し，前記シャッタを閉められた状態に保持するように付勢された弾性部材とを備えることを特徴とする。
【００１７】
前記シャッタ開閉リブは，前記プリンタの一側カバーの内面から内側方向に突出されるように形成できる。
【００１８】
また，前記シャッタ開閉リブは，前記シャッタの摺動方向に垂直方向に形成される。
【００１９】
一方，前記シャッタ開閉リブの一側には傾斜面が形成されており，前記シャッタの上部には前記開閉機構の傾斜面と対応するようにガイド面が形成されることが望ましい。
【００２０】
かかる本発明による廃トナー貯蔵庫を利用する場合，廃トナー貯蔵庫を脱着する前にシャッタを閉められた状態に保持するので，廃トナー貯蔵庫の脱着時に廃トナー貯蔵庫の廃トナー流入口からの廃トナーの飛び散りを防止できる。
【発明の効果】
【００２１】
本発明によるプリンタの廃トナー貯蔵庫の流入口の開閉は，シャッタ開閉リブの動作によるだけでなされるので，廃トナー貯蔵庫の脱着時にシャッタが閉められた状態となって脱着させうるので，脱着時に廃トナー貯蔵庫の廃トナー流入口からの廃トナーの飛び散りを防止できる。
【発明を実施するための最良の形態】
【００２２】
以下，本発明の一実施形態によるプリンタの廃トナー貯蔵庫を添付された図面を参照して詳細に説明する。この過程で，図面に図示された領域の厚さや体積は，明細書の明確性のために誇張されて図示されている。
【００２３】
図２は，本発明の望ましい実施形態によるプリンタの廃トナー装置を図示した分離斜視図である。
【００２４】
図２を参照すれば，廃トナー貯蔵庫１１０は，プリンタから回収される廃トナーが保存される空間を備えたハウジング１１１を備える。ハウジング１１１の上部には，廃トナー輸送部（図１の３０）の廃トナー出口と連結される流入口１１２が形成されており，流入口１１２を介して廃トナーがハウジング１１１の内部に流入される。
【００２５】
流入口１１２の上部には，直線的に摺動しつつ流入口１１２を開閉するシャッタ１２０が設置されている。このシャッタ１２０の上部には，ガイド面１２１が形成されている。このガイド面１２１は，従来発明の傾斜面（図１の３１）と対応するものであり，後述するシャッタ開閉リブ１３０の移動をガイドする。
【００２６】
前記シャッタ開閉リブ１３０は，前記ガイド面１２１と対応するように，一側に傾斜面１３１が形成されている。前記シャッタ開閉リブ１３０は，廃トナー貯蔵庫１１０と分離され，前記図３に図示されたように，プリンタ１４０の一側カバー１４１の内面に突出されるように形成されうる。
【００２７】
前記シャッタ１２０及びハウジング１１１間には，トーションスプリング（ｔｏｒｓｉｏｎ  ｓｐｒｉｎｇ）１２７が設置される。このトーションスプリング１２７の上端は，シャッタ１２０の下部に連結され，下端は，廃トナー貯蔵庫ハウジング１１１上部の第４ボス１１４に固定される。シャッタ１２０の両側には，突出部１２４が形成されており，前記流入口１１２の対向する両側には，前記突出部１２４が直線的に摺動されるようにガイドするスロット１１７が形成されている。
【００２８】
図４〜図６は，本発明の廃トナー貯蔵庫のシャッタの作用を説明する図面である。図面を参照して本実施形態にかかる廃トナー貯蔵庫のシャッタの作用を詳細に説明する。
【００２９】
まず，プリンタ１４０の側面カバー１４１を開け，廃トナー貯蔵庫１１０をプリンタ１４０内部に設置する。廃トナー貯蔵庫１１０をプリンタ１４０に設置する間，シャッタ１２０は閉められた状態に保持される。
【００３０】
次に，プリンタカバー１４１を閉めれば，図４に示したように，カバー１４１内側面に付着されたシャッタ開閉リブ１３０の傾斜面１３１がシャッタガイド面１２１と噛み合う。
【００３１】
次に，シャッタ開閉リブ１３０の傾斜面１３１が中に進入しつつ，シャッタ１２０は矢印Ａ方向に移動し，これによりトーションスプリング１２７は，図５に示したように，矢印Ａ方向に伸びる。前記シャッタ開閉リブ１３０は，トーションスプリング１２７の復原力を抑制する。図６は，カバー１４１が完全に閉められた状態で，流入口１１２が完全にオープンされた状態を示す。
【００３２】
次に，シャッタを閉める過程を図面を参照して説明する。
【００３３】
まず，カバー１４１を開ければ，シャッタ開閉リブ１３０が後に退く。この時，付勢されるように変形されたトーションスプリング１２７は，図６に示したように，元の状態に復元されつつ前記シャッタ１２０をＢ方向に直線的に移動させて流入口１１２を閉める。
【００３４】
本発明は，図面を参照して実施形態を参考に説明されたが，これは例示的なものに過ぎず，当分野で当業者ならばこれから多様な変形及び均等な実施形態が可能であるという点が理解されるであろう。従って，本発明の真の技術的保護範囲は，特許請求の範囲により決まるものである。
【産業上の利用可能性】
【００３５】
本発明のプリンタの廃トナー貯蔵庫は，たとえばレーザプリンタや複写機のプリンタに効果的に適用可能である。
【図面の簡単な説明】
【００３６】
【図１】従来の廃トナー貯蔵庫のシャッタ装置を示す分解斜視図である。
【図２】本発明の一実施形態による廃トナー貯蔵庫の分離斜視図である。
【図３】図２のシャッタ開閉リブがプリンタの側面カバー内側面に形成されたところを示す斜視図である。
【図４】図２の廃トナー貯蔵庫のシャッタの作用を説明する説明図である。
【図５】図２の廃トナー貯蔵庫のシャッタの作用を説明する説明図である。
【図６】図２の廃トナー貯蔵庫のシャッタの作用を説明する説明図である。
【符号の説明】
【００３７】
１１０  廃トナー貯蔵庫
１１１  ハウジング
１１２  流入口
１１４  第４ボス
１１７  スロット
１２０  シャッタ
１２１  シャッタガイド面
１２４  突出部
１２７  トーションスプリング
１３０  リブ
１３１  傾斜面
【図１】
2005208661.tif 000003
【図２】
2005208661.tif 000004
【図３】
2005208661.tif 000005
【図４】
2005208661.tif 000006
【図５】
2005208661.tif 000007
【図６】
2005208661.tif 000008